(57)【要約】【課題】シュレッダー裁断用  紙挿入部経路を曲折することにより、指、金属板、硬板等の裁断不適物が裁断カッターに送達することを防止する、シュレッダー挿入経路を提供する。【解決手段】シュレッダー裁断用  紙挿入部経路をおおむねＳ字状、あるいはおおむねＪ字状に曲折し、挿入経路の紙ガイド壁によって形成する幅を、前記曲折による防止効果を損なわない程度に狭く成すことにより、指、金属板、硬板等の裁断不適物が裁断カッターに送達することを防止すると共に、裁断する紙類又はフィルム類は送達し易くする形状に成し、簡単な構造で安全性を具えるシュレッダー挿入経路を実現した。【選択図】図２
2008086983.tif 000002
【特許請求の範囲】
【請求項１】
裁断用  紙挿入部及び紙挿入部経路が、少なくとも裁断に向かう紙類又はフィルム類の前記紙挿入部に向く辺に平行して延在しており、前記裁断用  紙挿入部周囲に広がる面の方向を平面方向とすると、この平面方向に対して前記紙挿入部経路が立面方向に延伸し、前記紙挿入部経路、及び前記紙挿入部経路を形成する、相対して設けられた紙ガイド壁の前記立面方向の形状を示す断面形状を、前記紙挿入部経路の全て又は一部において、一方の紙ガイド壁を複数の曲線から成る、それぞれの曲線の膨らむ方向が相反して連なることにより  おおむねＳ字状を成す曲線で形成し、他方の紙ガイド壁も同様におおむねＳ字状の曲線で形成し、前記断面形状を  前記紙挿入経路の前記延在方向に沿って連続形成することにより、形成された曲面が、指先、金属板、硬板などの裁断不適物の挿入を阻み、これ等が不用意に裁断に及ぶことを防止し、裁断に向かう紙類又はフィルム類の送達は容易に成す構造とした、シュレッダー挿入経路。
【請求項２】
前記紙挿入部経路及び、前記紙挿入部経路を形成する、相対して設けられた紙ガイド壁の前記立面方向の形状を示す断面形状を  膨らみ方向を同じ方向に向けて成る曲線で形成し、前記紙挿入経路の前記延在方向に沿って連続することにより、指先、金属板、硬板などの裁断不適物の挿入を阻み、これ等が不用意に裁断に及ぶことを防止し、裁断に向かう紙類又はフィルム類の送達は容易に成す構造とした、シュレッダー挿入経路。
【請求項３】
前記紙挿入部経路を形成する、相対して設けられた紙ガイド壁の  それぞれの面、あるいは何れか一方の面の一部に、裁断用  紙の  挿入及び送達を円滑に行うための自動紙送りローラーを配設した、請求項１又は２のシュレッダー挿入経路。
【発明の詳細な説明】
【技術分野】
【０００１】本発明は、シュレッダー裁断用  紙挿入部の挿入経路を曲折することにより、手指、衣服の一部、金属板類等  裁断してはならず、又は裁断機能を阻害する異物の挿入を防止する技術に関するものである。
【背景技術】
【０００２】現在、シュレッダーで紙を裁断する際、誤って衣服の一部が巻き込まれてしまったり、子供が指を差し込み、感知して作動したカッターに両手の指を切断されてしまったなどの痛ましい事故が起こっている。又、金属板、硬質プラスチックなどの異物が挿入されてしまうことによって、カッターの刃が損傷する事故も少なくない。特に指を切断してしまう事故が社会問題となっている。【０００３】これ等は何れもシュレッダー裁断用  紙挿入部の挿入経路が紙の挿入に適する事に向けてのみ設計されてきている為であり、紙類の挿入に適する直行状経路を構成しているシュレッダーが多く、事故防止にかかる人間工学上の配慮がなされていない現状による。
【発明の開示】
【発明が解決しようとする問題】
【０００４】本発明は上述の紙挿入部の挿入経路を指などの挿入を阻む形状に曲折させることによって、挿入時に挿入物が直行することを阻み、誤った挿入行為や不適当な挿入物の挿入送達を防止するものである。
【課題を解決するための手段】
【０００５】上記課題を解決するために、本発明にかかるシュレッダー挿入経路は、少なくとも裁断に向かう紙類又はフィルム類の前記紙挿入部に向く辺に平行して延在しており、前記裁断用  紙挿入部周囲に広がる面の方向を平面方向とすると、この平面方向に対して前記紙挿入部経路が立面方向に延伸し、前記紙挿入部経路、及び前記紙挿入部経路を形成する、相対して設けられた紙ガイド壁の前記立面方向の形状を示す断面形状を  前記紙挿入部経路の全て又は一部において、一方の紙ガイド壁を、複数の曲線から成る  それぞれの曲線の膨らむ方向が相反して連なることにより  おおむねＳ字状を成す曲線で形成し、他方の紙ガイド壁も同様におおむねＳ字状の曲線で形成し、前記断面形状を  前記紙挿入経路の前記延在方向に沿って延在させると共に、挿入経路の紙ガイド壁によって形成する幅を、曲折による防止効果を損なわない程度に狭く成して  連続することにより  形成された曲面が、指先等第１の裁断不適物、金属板、硬板等第２の裁断不適物の挿入を阻み、これ等が不用意に裁断に及ぶことを防止する。
【０００６】また、次に述べる本発明のシュレッダー挿入経路は、少なくとも、紙挿入部経路及び、前記紙挿入部経路を形成する、相対して設けられた紙ガイド壁の前記立面方向の形状を示す断面形状を、膨らみ方向を同じ方向に向けて成る曲線で  おおむねＪ字形に形成し、前記紙挿入経路の前記延在方向に沿って連続することにより、指先、金属板、硬板などの第１及び第２の裁断不適物の挿入を阻み、これ等が不用意に裁断に及ぶことを防止する。
【０００７】また、次に述べる本発明のシュレッダー挿入経路は、前記紙挿入部経路を形成する、相対して設けられた紙ガイド壁の両面、あるいは何れか一方の面の一部に、裁断用  紙の、挿入及び送達を円滑に行うための自動紙送りローラーを配設することにより、曲がりくねった前記紙挿入経路においても  裁断する紙類の円滑な挿入を実現する。又本発明では、前記ローラーが前記裁断不適物に対して作動しても、前記紙挿入部経路が挿入を阻むために送達されることなく、安全が保たれる。
【発明の効果】
【０００８】従来のシュレッダー挿入経路は  図１に示すように裁断カッターにストレートに向かっているために、紙類等の裁断には能率的な構造になっているが指先などが誤って挿入される危険があり、一方誤挿入を防止するために挿入口の幅を狭くし、挿入を規制すると  裁断用紙類の挿入枚数が少なくなり裁断効率が落ちる欠点があった。
本発明のシュレッダー挿入経路は、これらの欠点を簡単でコストのかからない構造とし、及び完全に近く防止する構造として提供するものである。
即ち、前記第１及び第２の裁断不適物の中でも  特に指は殆どの場合裁断物を挿入口に差し入れる役割を果たすにも拘らず、危険防止は差し入れる人の注意力にのみ頼っている現状であることから、本発明では指が関節によって一方向に曲がる構造であり、一方紙類は例えばＳ字状など柔軟に曲がることから、挿入口から続く挿入経路を形成する、相対して設けられた紙ガイド壁の形状を挿入方向に相反する曲面からなる、図２ないし図５に示すように、おおむねＳ字状の形状とすることにより  紙類は曲がりながら裁断カッターへ送達可能にし、指は挿入口の左右何れの側から挿入しようとしても図２に示すように前記相反する曲面の一方に阻まれて送達出来なくなる。
また、本発明のシュレッダー挿入経路は図６に示すように、前記挿入口から続く挿入経路を形成する、相対して設けられた紙ガイド壁の  前記立面方向の形状を示す断面形状を膨らみ方向を同じ方向に向けて成る曲線で形成し、前記紙挿入部経路の前記延在方向に沿って連続することにより形成され  紙類を曲げて裁断カッターに送達可能にする曲面が、指先、金属板、硬板などの前記裁断不適物の挿入を阻み、あるいは届きにくくすることにより、これ等が不用意に裁断に及ぶことを防止する。
更に  本発明のシュレッダー挿入経路は、前記挿入口から続く挿入経路前記紙挿入部経路を形成する、相対して設けられた紙ガイド壁の両面、あるいは何れか一方の面の一部に、裁断用  紙の  挿入及び送達を円滑に行うための自動紙送りローラーを配設し、その送り込み回転により  紙類等の通過が前記紙ガイド壁の曲面で滞留することを防止し、送達を容易にする。又、前記紙ガイド壁は何れも曲面で前記裁断不適物の挿入を阻むため、自動紙送りローラーが裁断不適物を送り込もうとしても  ローラーは空回転して送り込み不能となる。
図１に示すような従来のシュレッダー挿入経路２０では前記自動紙送りローラーを配設した場合、送り込み不能に成し得ないことは言うまでもない。
【発明を実施するための最良の形態】
【０００９】当該シュレッダー挿入経路は、前記裁断不適物、特に指等が誤って挿入され傷つけられる事故を防止するために  おおむね前記Ｓ字形又は前記Ｊ字形に形成し、更に指等を裁断カッターに送達不能と成す  挿入経路幅寸法、又は挿入経路長寸法の構造とすることによって、裁断不能物の挿入を阻むことを可能にする。
又、当該シュレッダー挿入経路では途中に自動紙送りローラーを配設し  裁断する紙類等を強制的に送る構造としても、前記紙ガイド壁は何れも曲面で前記裁断不適物の挿入を阻むため、自動紙送りローラーを配設することにより  紙類等を図１に例示する直行形挿入経路と同様なレベルで送達する性能を実現することが出来る。
【実施例】
【００１０】図２および図３は、本発明にかかるシュレッダー挿入経路の第１実施例の構成を示す図である。図中、紙挿入部経路２１は前記立面方向に延伸しており、指等が容易く入らないほどの経路幅を成し  更に曲がりくねって指等第１の裁断不適物の通過を阻む形状を成している。この形状は相対する紙ガイド壁２１ａ及び２１ｂにより形成し規制されている。紙ガイド壁２１ａ及び２１ｂは  それぞれ膨らむ方向が相反する複数の曲線が連なりおおむねＳ字状の曲面を成しており、相対する紙ガイド壁は一定の間隔を保つように曲面を形成しており、これ等の間隔と曲面の構成によって  指２２は裁断カッター１３に届くことを阻まれ、反対方向から挿入しようとする  他の指２３も曲面の別の箇所で同様に阻まれる。
又、図３に示すように、金属板、硬板等第２の裁断不適物２４、２５は直立方向から挿入しても、斜め方向から挿入しても紙ガイド壁２１ａ及び２１ｂにより阻まれ  裁断カッター１３に送達しない。
更に  おおむねＳ字状に形成してあるために紙等の送達が成されにくい場合、図４に示すように  一方の紙ガイド壁２１ａに紙送り方向Ａに回転する自動紙送りローラー２１ｃを配設し、他方の紙ガイド壁２１ｂに紙送り方向Ｂに回転する他の自動紙送りローラー２１ｄを配設し  これ等を作動することにより、前記紙等の送達をスムーズに行える。なお、これ等の自動紙送りローラーは紙ガイド壁２１ａ又は２１ｂの内、何れか一方の紙ガイド壁のみに配設してもよい。又、これ等の自動紙送りローラーは設計条件に従い個数を多くすることにより目的の性能を達成させる。
図５は  紙ガイド壁、自動紙送りローラー、裁断カッターを装着する図であり、２、はこれ等を内包する筐体の一部を示している。【００１１】図６は、本発明にかかる第２のシュレッダー挿入経路が  前記紙挿入部経路及び、前記紙挿入部経路を形成する、相対して設けられた第２の紙ガイド壁の前記立面方向形状を示す断面形状を  膨らみ方向を同じ方向に向けて成る曲線で形成することを示す。
一方の第２の紙ガイド壁２６ａは第２の裁断カッター１３ａに向けておおむねＪ字状に曲折しており、他方の第２の紙ガイド壁２６ｂも同方向に曲折している。二つの第２の紙ガイド壁の間隔は紙等の挿入と送達に適しながら、前記第１及び第２の裁断不適物の送達を阻む間隔となっている。
これ等の構造及び形状により  挿入する前記挿入不適物は第２の紙挿入部経路２２に阻まれ第２の裁断カッター１３ａに送達できなくなる。なお、これ等第２の紙ガイド壁に前記自動紙送りローラーを配設することによって、紙等の送達をスムーズに行うことが可能になる。
図１は従来のシュレッダー挿入経路を示しており、第３の紙挿入部経路２０は裁断カッター１３に直行して向く第３の紙ガイド壁１１ａ及び他の第３の紙ガイド壁１１ｂにより、直行状に形成されているために  前記挿入不適物の挿入を阻むことが出来ない。
【図面の簡単な説明】
【図１】  従来のシュレッダー挿入経路の断面を示す図である。
【図２】  本発明にかかるシュレッダー挿入経路の断面を示す図である。
【図３】  本発明にかかるシュレッダー挿入経路の断面を示す図である。
【図４】  本発明にかかるシュレッダー挿入経路に自動紙送りローラーを配設した断面図である。
【図５】  本発明にかかるシュレッダー挿入経路の構成を示す図である。
【図６】  本発明にかかる第２のシュレッダー挿入経路の断面を示す図である。
【符号の説明】
１１ａ、１１ｂ      従来の紙ガイド壁
１３、１３ａ        裁断カッター
２                  筐体部
２０、２１、２６    紙挿入部経路
２１ａ、２１ｂ      紙ガイド壁
２１ｃ、２１ｄ      自動紙送りローラー
２２、２３          指
２４、２５          第２の裁断不適物
２６ａ、２６ｂ      第２の紙ガイド壁
Ａ、Ｂ              紙送り方向
【図１】
2008086983.tif 000003
【図２】
2008086983.tif 000004
【図３】
2008086983.tif 000005
【図４】
2008086983.tif 000006
【図５】
2008086983.tif 000007
【図６】
2008086983.tif 000008